(57)【要約】【課題】電源オフ時にハーネスの交換を防止する。【解決手段】ソケット４６及びプラグ４８にはソケット４６にプラグ４８が差し込まれた際に対峙するロック孔５４、５６が形成されている。移動制御機構６０は、バネ６８の付勢によりロックピン５８をロック孔５４、５６に挿通するロック位置へ移動させるとともに、ソレノイドコイル６６に通電されると、バネ６８の付勢に抗してロックピン５８をロック孔５４、５６から引き抜いたロック解除位置へ移動させる。電源部７４は、パチンコ機１０の電源がオンされている間ソレノイドコイル６６に通電する。これにより、パチンコ機１０の電源がオンされている間はソケット４６からプラグ４８を引き抜くことができる。また、パチンコ機１０の電源がオフされている間はソケット４６からプラグ４８を引き抜くことができない。【選択図】図４
2008073100.tif 000002
【特許請求の範囲】
【請求項１】
基板に固定されたソケットと、このソケットに差し込まれるプラグとからなるコネクタを備え、前記コネクタを介して前記基板に遊技機の各部を接続した遊技機において、
前記プラグが前記ソケットから抜けないように前記プラグの移動を規制するロック位置と、前記規制を解除するロック解除位置との間で移動自在に設けられたロック部材と、
遊技機の電源がオフされた際に前記ロック部材を前記ロック位置に移動させ、遊技機の電源がオンされた際に前記ロック部材を前記ロック解除位置に移動させる移動制御機構とを備えたことを特徴とする遊技機。
【請求項２】
前記ソケットと前記プラグのそれぞれに、前記ソケットに前記プラグが差し込まれた際に、前記プラグの差し込み方向に略垂直な方向で対峙するロック孔を設けるとともに、
前記ロック部材をロッド状に形成し、このロック部材を前記ロック孔に挿通することによって前記プラグの移動を規制することを特徴とする請求項１記載の遊技機。
【請求項３】
前記移動制御機構は、前記ロック部材を前記ロック孔に挿通する方向に付勢する付勢部材と、遊技機の電源オンに伴って通電されて磁界を形成し、前記付勢部材の付勢に抗して前記ロック部材を前記ロック孔から引き抜く方向に移動させるソレノイドとを備えており、遊技機の電源がオフされた際に前記付勢部材の付勢により前記ロック部材を前記ロック位置に移動させ、遊技機の電源がオンされた際に前記ソレノイドの形成する磁界により前記ロック部材を前記ロック解除位置に移動させることを特徴とする請求項２記載の遊技機。
【請求項４】
前記ロック孔は、鉛直方向で対峙するように設けられており、
前記ロック部材は、鉛直方向に移動自在に設けられるとともに、
前記移動制御機構は、遊技機の電源オンに伴って通電されて磁界を形成し、前記ロック部材を前記ロック孔から引き抜く方向に移動させるソレノイドを備えており、遊技機の電源がオフされた際に前記ロック部材をこのロック部材の自重より前記ロック位置に移動させ、遊技機の電源がオンされた際に前記ソレノイドの形成する磁界により前記ロック部材を前記ロック解除位置に移動させることを特徴とする請求項２記載の遊技機。
【発明の詳細な説明】
【技術分野】
【０００１】
本発明は、パチンコ機やスロットマシンなどの遊技機に関するものである。
【背景技術】
【０００２】
パチンコ機やスロットマシンなどの遊技機は、その内部に、遊技の進行を管理するための制御基板が設けられている。制御基板は、封印処理された保護ケースに収納するなどして不正な改造ができないようになっている。しかし、最近では、制御基板と遊技機各部を接続するハーネスを、特殊なＩＣチップが埋め込まれた変造ハーネスと交換し、電気信号の書き換え等を行う不正行為が問題になっている。
【０００３】
変造ハーネスに交換する際には、正規のハーネスを取り外す必要がある。このとき遊技機の電源がオンされていれば、遊技機がハーネスの取り外しをエラーとして検知するので、不正を迅速に発見でき、被害を最小限に抑えることが可能である。しかし、閉店後や休業日は遊技機の電源がオフされているので、この間に遊技店に侵入した者に変造ハーネスに交換されると、遊技機はこれをエラーとして検出できず、不正の発見が遅れ、被害が大きくなってしまう。
【０００４】
変造ハーネスへの交換を防止する工夫として、特許文献１に記載された従来技術が知られている。この従来技術では、回路基板を収納するケースにハーネスを通す開口部が設けられ、ケースに収納された回路基板にはハーネスの先端部に設けられたコネクタが接続されている。回路基板に接続されたコネクタは、基板ケースの開口部から押し込まれるストッパ部材により固定される。このストッパ部材には、基板ケースの開口部に進入する時に弾性変形し、基板ケースの開口部を通過すると開口部よりも大きく広がる弾性片が形成されている。ハーネスを引き抜こうとする力が働くと、ハーネスのコネクタがストッパ部材により押さえられ、コネクタに押されたストッパ部材は基板ケースの内壁面に弾性片を押し付ける。ストッパ部材を基板ケースの開口部から引き抜くことはできないため、コネクタを引く抜くことも不可能であり、変造ハーネスへの交換を防止できる。
【特許文献１】特開２００５−３２３７２８号公報
【発明の開示】
【発明が解決しようとする課題】
【０００５】
しかしながら、上記従来技術では、変造ハーネスへの交換を防止するためにハーネスの着脱が全く行えなくなるため、遊技店の従業員が遊技機の清掃やメンテナンスを行う時にハーネスが邪魔になる場合でもこれを退けることができないという欠点がある。
【０００６】
本発明は、上記問題点を考慮してなされたものであり、ハーネスの着脱を可能にしながらもハーネスが不正に交換されてしまうことを防止した遊技機を提供することを目的とする。
【課題を解決するための手段】
【０００７】
上記目的を達成するために本発明の遊技機は、基板に固定されたソケットと、このソケットに差し込まれるプラグとからなるコネクタを備え、前記コネクタを介して前記基板に遊技機の各部を接続した遊技機において、前記プラグが前記ソケットから抜けないように前記プラグの移動を規制するロック位置と、前記規制を解除するロック解除位置との間で移動自在に設けられたロック部材と、遊技機の電源がオフされた際に前記ロック部材を前記ロック位置に移動させ、遊技機の電源がオンされた際に前記ロック部材を前記ロック解除位置に移動させる移動制御機構とを備えたことを特徴としている。
【０００８】
前記ソケットと前記プラグのそれぞれに、前記ソケットに前記プラグが差し込まれた際に、前記プラグの差し込み方向に略垂直な方向で対峙するロック孔を設けるとともに、前記ロック部材をロッド状に形成し、このロック部材を前記ロック孔に挿通することによって前記プラグの移動を規制してもよい。
【０００９】
また、前記移動制御機構は、前記ロック部材を前記ロック孔に挿通する方向に付勢する付勢部材と、遊技機の電源オンに伴って通電されて磁界を形成し、前記付勢部材の付勢に抗して前記ロック部材を前記ロック孔から引き抜く方向に移動させるソレノイドとを備えており、遊技機の電源がオフされた際に前記付勢部材の付勢により前記ロック部材を前記ロック位置に移動させ、遊技機の電源がオンされた際に前記ソレノイドの形成する磁界により前記ロック部材を前記ロック解除位置に移動してもよい。
【００１０】
さらに、前記ロック孔は、鉛直方向で対峙するように設けられており、前記ロック部材は、鉛直方向に移動自在に設けられるとともに、前記移動制御機構は、遊技機の電源オンに伴って通電されて磁界を形成し、前記ロック部材を前記ロック孔から引き抜く方向に移動させるソレノイドを備えており、遊技機の電源がオフされた際に前記ロック部材をこのロック部材の自重より前記ロック位置に移動させ、遊技機の電源がオンされた際に前記ソレノイドの形成する磁界により前記ロック部材を前記ロック解除位置に移動させてもよい。
【発明の効果】
【００１１】
本発明によれば、遊技機の電源がオンされているときはソケットからプラグを抜くことができるので、清掃やメンテナンスなどの際に便利である。また、遊技機の電源がオフされているときはソケットからプラグを抜くことができないので閉店後や休業日に変造ハーネスに交換されてしまうといったこともない。
【００１２】
さらに、ソケットとプラグのそれぞれに、ソケットにプラグが差し込まれた際に、プラグの差し込み方向とは垂直な方向で対峙するロック孔が設け、このロック孔にロッド状のロック部材を挿通させてプラグの移動を規制するようにすれば、プラグの移動を確実に規制できる。
【００１３】
また、ロック部材をロック位置に向けて付勢する付勢手段と、遊技機の電源オンに伴い通電され、ロック部材をロック解除位置へ移動させるソレノイドとにより、ロック部材を移動させるようにすれば構成が簡単でありコストを抑えることができる。
【００１４】
さらに、遊技機の電源のオフ時にロック部材を自重によりロック位置へ移動させ、電源オン時にソレノイドによりロック部材をロック解除位置へ移動させるようにすれば、ロック部材をロック位置へ移動させるためのバネやモータなどが必要ないのでより構成が簡単でありコストを抑えることができる。
【発明を実施するための最良の形態】
【００１５】
図１において、パチンコ機１０は、その前面に透明なガラス窓１１を有する前面扉１２を備えている。ガラス窓１１の後側には、遊技球が一球ずつ打ち出される遊技領域１３が設けられている。遊技領域１３にはアウト口と複数の入賞口が設けられている。遊技球が入賞口に入賞すると、決められた個数の遊技球が賞球として払い出される。
【００１６】
遊技領域１３の中央部には液晶表示装置１４が設けられている。液晶表示装置１４の下方には始動入賞口１５が設けられている。始動入賞口１５に遊技球が入賞すると、賞球の払い出しが行われ、乱数を用いた大当たり抽選が行われる。液晶表示装置１４は、例えば複数の同じ図柄が一列に揃うか否かによって大当たり抽選の結果を表示する。大当たりに当選すると、遊技球が入賞しやすい大入賞口に遊技球を入賞させることができ、多数の遊技球を獲得できる遊技を行うことができる。前面扉１２の上部には、スピーカ１６が設けられている。遊技が行われている間は、大当たりへの期待度を高める演出として、液晶表示装置１４には期待度に応じた演出画像が表示され、スピーカ１６から期待度を高める効果音が発せられる。
【００１７】
ガラス窓１１の下方には、遊技領域１３に打ち出される遊技球を発射装置に供給する供給皿１８が設けられている。供給皿１８の左側には、賞球が払い出される賞球払い出し口１９が設けられている。供給皿１８の右下方には、遊技球を打ち出す際に操作され、遊技球を打ち出す強さを調節するためのハンドル２０が設けられている。
【００１８】
図２において、パチンコ機１０の背面側には、賞球として払い出される遊技球を貯留する貯留皿２４が設けられている。貯留皿２４に貯留された遊技球は、賞球通路２５から賞球払い出し装置２６に送られる。賞球通路２５の下方には、液晶表示装置１４を保護するための保護カバー２７が設けられている。保護カバー２７の下方には、メイン基板収納ケース３０とサブ基板収納ケース３１が設けられている。
【００１９】
メイン基板収納ケース３０には、電子抽選や賞球の払い出し等を管理し、遊技の流れを制御するＣＰＵ３２（図３、４参照）が設けられたメイン制御基板（基板）３４が収納されている。サブ基板収納ケース３１には、液晶表示装置１４に表示する演出用のグラフィック画像を記憶したメモリや、画像再生用の回路等を有するサブ制御基板３６が収納されている。
【００２０】
図３に示すように、メイン制御基板３４には、コネクタ４０を介して、始動入賞口１５とその他の入賞口に遊技球が入賞した際に入賞検知信号を入力するためのハーネス４２が接続されている。また、メイン制御基板３４には、コネクタ４０の側方に、ハーネス４２の不正な取り外しを防止するためのロック機構４４が設けられている。
【００２１】
図４（Ａ）、並びに同図（Ｂ）において、コネクタ４０は、メイン制御基板３４に取り付けられたソケット４６と、ハーネス４２の先端に取り付けられ、ソケット４６に差し込まれるプラグ４８とからなる。ソケット４６には、ＣＰＵ３２に接続された複数の雌端子５０が設けられている。他方、プラグ４８には、ハーネス４２の各ケーブル４２ａに接続された複数の雄端子５２が設けられている。ソケット４６にプラグ４８が差し込まれると、雌端子５０と雄端子５２とが接続される。これにより、ハーネス４２とＣＰＵ３２とが電気的に接続される。
【００２２】
また、コネクタ４０には、ソケット４６及びプラグ４８の側部にそれぞれロック孔５４、５６が設けられている。ロック孔５４は、雌端子５０を囲むように設けられたソケット４６の外壁を貫通するように設けられ、ロック孔５６は、雄端子５２を囲むように設けられたプラグ５６の外壁を貫通するように設けられている。これら、ロック孔５４、５６は、ソケット４６にプラグ４８が差し込まれた際に対峙するように設けられている。
【００２３】
ロック機構４４は、ロックピン（ロック部材）５８と、このロックピン５８を、図４（Ａ）に示すロック位置と、同図（Ｂ）に示すロック解除位置との間で移動させる移動制御機構６０とから構成される。ロック位置は、ロックピン５８をロック孔５４、５６に挿通する位置であり、ロックピン５８がロック位置へ移動されると、ソケット４６からプラグ４８を抜くことができなくなる。また、ロック解除位置は、ロックピン５８をロック孔５４、５６から引き抜いた位置であり、ロックピン５８がロック解除位置へ移動されると、ソケット４６からプラグ４８を抜くことができる。
【００２４】
移動制御機構６０は、メイン制御基板３４に固定されたケース６２と、このケース６２に収められたプランジャ６４と、ソレノイドコイル（ソレノイド）６６と、バネ（付勢部材）６８とから構成される。プランジャ６４は、円柱形状の磁性体（例えば、磁石）から構成され、一端にロックピン５８が取り付けられている。バネ６８は、プランジャ６４の他端部に配置され、プランジャ６４をコネクタ４０側へ向けて付勢している。このバネ６８の付勢によりプランジャ６４が移動することで、ロックピン５８がロック位置へ移動する。
【００２５】
ソレノイドコイル６６は、プランジャ６４を取り巻くように配置され、端子７０、７２間に通電されることで磁界を形成し、バネ６８の付勢に抗してプランジャ６４をコネクタ４０から遠ざける方向へ移動させる。このプランジャ６４の移動に伴ってロックピン５８がロック解除位置へ移動する。ソレノイドコイル６６の端子７０、７２は、パチンコ機１０の各部に電力を供給する電源部７４に接続されている。電源部７４は、パチンコ機１０の電源がオンされると端子７０、７２間への通電を開始し、パチンコ機１０の電源がオフされると端子７０、７２間への通電を停止する。これにより、パチンコ機１０の電源がオンされているときは、ソレノイドコイル６６の形成する磁界によりロックピン５８がロック解除位置に保持される。また、パチンコ機１０の電源がオフされているときは、バネ６８の付勢によりロックピン５８がロック位置に保持される。
【００２６】
以下、上記構成による本発明の作用について、図５に示すフローチャートをもとに説明する。パチンコ店では、開店時にパチンコ機１０の電源がオンされる。これにより、ロックピン５８がロック解除位置に移動し、ソケット４６からプラグ４８を抜くことができるようになるので、パチンコ機１０のメンテナンスや清掃時に便利である。また、パチンコ店では閉店時にパチンコ機１０の電源がオフされる。これにより、ロックピン５８がロック位置に移動し、ソケット４６からプラグ４８を抜くことができなくなるので、閉店後にパチンコ店に侵入した者に変造ハーネスに交換されてしまうといったこともない。
【００２７】
なお、本発明は、パチンコ機の電源がオフされている間にハーネスが交換されることを防止できればよいので、細部の構成は上記実施形態に限定されるものではない。例えば、図６、図７に示すようなロック機構８０により、プラグが抜けないようにしてもよい。なお、図６移行の図面については、上記実施形態と同様の部材については同様の符号を付して説明を省略している。
【００２８】
図６、並びに、図７（Ａ）、同図（Ｂ）において、ロック機構８０は、コネクタ８２の上方に設けられている。コネクタ８２には、ソケット８４及びプラグ８６の上部にそれぞれロック孔８８、９０が設けられている。ロック孔８８は、雌端子５０を囲むように設けられたソケット８４の外壁を貫通するように設けられ、ロック孔８８は、雄端子５２を囲むように設けられたプラグ８６の外壁を貫通するように設けられている。これら、ロック孔８８、９０は、ソケット８４にプラグ８６が差し込まれた際に鉛直方向で対峙する。ロック機構８０は、その軸が鉛直方向と平行になるように配置されたロックピン５８と、移動制御機構９２とから構成される。移動制御機構９２は、メイン制御基板３４に固定されたケース９４に、プランジャ６４と、ソレノイドコイル６６とが収められたものである。
【００２９】
このロック機構８０では、ソレノイドコイル６６の端子７０、７２間に通電されていないとき、すなわち、パチンコ機の電源がオフされている間、ロックピン５８は、自重により図７（Ａ）に示すロック位置にあり、ソレノイドコイル６６の端子７０、７２間に通電されると、すなわち、パチンコ機の電源がオンされると、ロックピン５８は、ソレノイドコイル６６の形成する磁界の作用で同図（Ｂ）に示すロック解除位置に移動する。ロック位置は、ロックピン５８がロック孔８８、９０に挿通された位置であり、ロック解除位置は、ロックピン５８がロック孔８８、９０から引き抜かれた位置である。
【００３０】
これにより、パチンコ機の電源がオフされている間は、プラグを抜くことができない。また、パチンコ機の電源がオンされている間は、プラグを抜くことができる。このように、ロック機構８０によっても上述した実施形態と同様の効果を得ることができる。また、ロック機構８０では、ロックピンが自重によりロック位置へ移動するようにしたので、上述した実施形態よりも構成が簡単でありコストを削減できる。
【００３１】
また、例えば、図８に示すようなロック機構１００により、コネクタ１０２のソケット１０４からプラグ１０６が抜けないようにしてもよい。図８において、ロック機構１００は、プラグ１０６を上方から押さえるロック位置（図８で実線で示す位置）と、プラグ１０６の上方から退避したロック解除位置（図８で破線で示す位置）との間で回動自在のロックアーム（ロック部材）１０８と、このロックアーム１０８を変位させる移動制御機構１１０とから構成される。移動制御機構１１０は、モータ１１２と、このモータ１１２に直結され、円柱の表面に螺旋状のギア溝が形成されたギア１１４とを備えている。モータ１１２の回転は、パチンコ機の各部を駆動制御するＣＰＵ１１６により制御される。他方、ロックアーム１０８には、ギア１１４と歯合する歯車部１１８が設けられている。
【００３２】
図９に示すように、ＣＰＵ１１６は、パチンコ機の電源がオンされるとこれを検知し、モータ１１２を正転させてロックアーム１０８をロック解除位置へ移動させる。また、ＣＰＵ１１６は、パチンコ機の電源をオフする操作がなされるとこれを検知し、電源をオフする前にモータを逆転させてロックアーム１０８をロック位置へ移動させる。このような構成にしても、上述した実施形態と同様の効果を得ることができる。また、本構成によれば、ロックアームを移動するときにのみ電力を消費し、ロックアームを移動先で保持するために電力を消費することがない。このため、上位実施形態のように、ソレノイドコイルへの通電を継続することによりロックピンをロック解除位置に保持する場合と比較して消費電力を軽減できる。
【００３３】
なお、上記実施形態では、電源オン時にハーネスを取り外せるようにすることでパチンコ店側の利便性を向上させる例で説明をしたが、パチンコ店側がこれを悪用してパチンコ機を不正に改造してしまうといったことも考えられる。このため、電源オン時であり、かつ、所定条件を満たした場合にのみハーネスを取り外せるようにしてもよい。また、電源オンオフに関わらず所定条件を満たした場合にのみハーネスを取り外せるようにしてもよい。
【００３４】
この場合、パチンコ機に、上記実施形態で説明したロック部材を設けるとともに、モータやソレノイドなどを制御することでロック部材をロック位置とロック解除位置との間で移動させる移動制御機構と、暗証番号の入力や所定の操作など前述した所定条件が満たされたか否かを判定する判定手段を設ける。そして、所定条件が満たされた場合に、移動制御機構によりロック部材をロック解除位置へ移動させればよい。このような構成にすることによって、パチンコ機の製造メーカは、疑わしいパチンコ店には所定条件を報知しないといったことが可能であり、パチンコ店側が行う不正改造を防止できる。
【００３５】
さらに、上記構成に加え、ロック部材がロック解除位置へ移動される毎、すなわち、ハーネスが取り外される毎に所定条件（例えば、暗証番号）を変更する条件変更手段を設けてもよい。この場合、パチンコ機の製造メーカが変更後の所定条件を把握するために、予め設定した法則に従って所定条件を変更する。もしくは、インターネットなど周知の電気通信回線を介し、変更後の所定条件をパチンコ機の製造メーカのサーバに送信する通信手段をさらに設ける。
【００３６】
このような構成にすることで、パチンコ店はハーネスを取り外す際に毎回パチンコ機の製造メーカに所定条件を報知してもらう必要がある。このため、パチンコ機の製造メーカは、パチンコ店から所定の条件の報知を求められた際に、このパチンコ店の信用状況に応じて所定条件を報知するか否かを選択できる。さらに、パチンコ店から所定条件の報知を求められた回数に基づいて、ハーネスの取り外し回数を把握できるので、ハーネスの取り外し回数が不自然なパチンコ店を調査するなどして、疑わしいパチンコ店には所定条件を報知しないといったことが可能であり、パチンコ店側が行う不正改造を防止できる。
【００３７】
また、パチンコ店側の不正改造を防止する構成としては、上記実施形態で説明したロック部材と移動制御機構とに加え、ソケットからプラグが抜かれた際、すなわち、ハーネスが取り外された際にこれを検知する検知手段と、ソケットからプラグが抜かれた際にこの旨を例えばパチンコ機の製造メーカのサーバに通知する通信手段とを設けてもよい。このような構成にすることにより、サーバに送られた蓄積された前記通知に基づいて、ハーネスの取り外し回数やハーネスの取り外し時期や時間が不自然なパチンコ店を調査するなどが可能であり、パチンコ店側が行う不正改造を防止できる。
【００３８】
なお、本発明は、上記実施形態のようにパチンコ機に適用することに限定されず、スロットマシン等の他の遊技機に適用することが可能である。
【図面の簡単な説明】
【００３９】
【図１】パチンコ機の正面側斜視図である。
【図２】パチンコ機の背面側斜視図である。
【図３】コネクタの側方にロック機構が設けられている様子を示す説明図である。
【図４】ロックピンがロック位置とロック解除位置との間で移動する様子を示す説明図である。
【図５】パチンコ機の電源のオンオフによりロック状態とロック解除状態とが切り替えられる様子を示すフローチャートである。
【図６】コネクタの上方にロック機構が設けられている様子を示す説明図である。
【図７】ロックピンが自重によりロック位置へ移動するようにしたロック機構を示す説明図ある。
【図８】ロックアームによりプラグの移動が規制される様子を示す説明図である。
【図９】パチンコ機の電源のオンオフによりロック状態とロック解除状態とが切り替えられる様子を示すフローチャートである。
【符号の説明】
【００４０】
１０  パチンコ機（遊技機）
３０  メイン基板収納ケース
３２、９２  ＣＰＵ
３４  メイン制御基板（基板）
４０、８２、１０２  コネクタ
４２  ハーネス
４４、８０、１００  ロック機構
４６、８４  ソケット
４８、８６  プラグ
５４、５６、８８、９０  ロック孔
５８  ロックピン（ロック部材）
６０、９２、１１０  移動制御機構
６４  プランジャ
６６  ソレノイドコイル（ソレノイド）
６８  バネ（付勢部材）
７４  電源部
１０８  ロックアーム（ロック部材）
【図１】
2008073100.tif 000003
【図２】
2008073100.tif 000004
【図３】
2008073100.tif 000005
【図４】
2008073100.tif 000006
【図５】
2008073100.tif 000007
【図６】
2008073100.tif 000008
【図７】
2008073100.tif 000009
【図８】
2008073100.tif 000010
【図９】
2008073100.tif 000011